(57)【要約】【課題】従来から使用されているチレングリコール等の冷却剤は、冷却性能は高いが高温にさらされた場合にも燃焼する危険があるだけでなく、毒性があり地面に流れると環境を汚染し、それらから不快な臭気が発散し、空気の流れに混じって漂う等の問題があため、高温にさらされた場合にも燃焼することが無く、毒性が無く使用後の処理も環境に悪影響を与えることの無い冷却パックの実現が求められている。【解決手段】本発明は、柔軟性を持った水密性のシートを使用した密封容器に、乳酸塩の４０〜５０％水溶液を封入した冷却パックを実現することにより従来技術の問題を解決したものでものである。【選択図】　　　　　　　図１
2004012096.tif 000002
【特許請求の範囲】
【請求項１】
柔軟性を持った水密性のシートを使用した密封容器に、乳酸塩の４０〜５０％水溶液を封入したことを特徴とする冷却パック。
【請求項２】
柔軟性を持った水密性のシートを使用した密封容器に、乳酸塩の４０〜５０％水溶液を封入して消防衣に装着するようにしたことを特徴とする冷却パック。
【請求項３】
柔軟性を持った水密性のシートを使用した密封容器に、乳酸塩の４０〜５０％水溶液を封入して、消防衣の内側の胸部及び背部に装着するようにしたことを特徴とする冷却パック。
【請求項４】
請求項１乃至請求項３において、密封容器に封入する乳酸塩に乳酸ナトリユウムを使用することを特徴とする冷却パック。
【請求項５】
請求項１乃至請求項３において、密封容器に封入する乳酸塩に乳酸カリユウムを使用することを特徴とする冷却パック。
【請求項６】
請求項１乃至請求項３において、密封容器に封入する乳酸塩に乳酸アンモンニユウムを使用することを特徴とする冷却パック。
【発明の詳細な説明】
【０００１】
【発明の属する技術分野】
本発明は、冷却剤を柔軟性を持った密封容器に封入し、これを冷却して被冷却体に近接して配置することにより被冷却体の温度上昇を抑制するようにした冷却パックに関する。
本発明の冷却パックは、火災現場における消防隊員の身体を保護する消防衣に装着するのに好適な、高温にさらされた場合にも燃焼することが無く、毒性が無く使用後の処理も環境に悪影響を与えることの無いものである。
【０００２】
【従来の技術】
火災現場における消防活動は、熱気が激しい環境で行われることが多く、火炎による放射熱と隊員自身による体熱により、消防衣の内側はかなりの高温になるため体温が上昇し、それに伴い心拍数や血圧も上昇する。一般的には、体温が４０℃程度に達すると生理的な機能が損なわれ、熱中症を発症する危険性を生ずることが多い。最近では、建物構造が密閉化、大規模化し、消防活動時間も長くなる傾向にあるところから、熱中症を発症する危険性はより大きくなっている。
【０００３】
このような消防活動上の生理的危険性を防止するために身体を冷却することにより体温の上昇を抑制することにより生理的負担を軽減し、消防隊員の安全性確保と活動を容易にするために冷却剤を封入した冷却パック装着する消防衣が提案されている。（実開平６−９６５２号参照）
このような目的に使用される冷却剤を封入した冷却パックは、種々の形態の製品が開発され使用されている。この冷却パックの冷却能力は、パックに封入する冷却剤により決まるため高性能が要求される冷却パックには、凝固温度が低くいエチレングリコール、プロピレングリコール、エタノール等をベースとする冷却剤が使用されることが多い。
【０００４】
【発明が解決しようとする課題】
しかしながら、エチレングリコールをベースとする冷却剤は、高温にさらされた場合にも燃焼する危険があるだけでなく、毒性があり地面に流れると環境を汚染してしまう。さらに，それらから不快な臭気が発散し、空気の流れに混じって漂う等の問題がある。
低い毒性を必要とする用途においては，エチレングリコールの代わりに，プロピレングリコールが多用されている。プロピレングリコールは比較的非毒性であるとしても環境的には問題視されている。
【０００５】
エチレングリコールに較べてエタノールは、毒性が低いため非毒性が要求される状況下において冷却液体として広く使用されていが、エタノールは，揮発性が高い点で，その使用に限界があり，この結果，着火しやすいとう問題点を持っている。
このため、高温にさらされた場合にも燃焼することが無く、毒性が無く使用後の処理も環境に悪影響を与えることの無い冷却パックの実現が求められている。
【０００６】
【課題を解決するための手段】
本発明は、柔軟性を持った水密性のシートを使用した密封容器に、乳酸塩の４０〜５０％水溶液を封入した冷却パックを実現することにより従来技術の問題を解決したものでものである。
本発明の冷却パックは、高温にさらされた場合にも燃焼することが無く、毒性が無く使用後の処理も環境に悪影響を与えることが無くその使用が環境的に安全で経済的であり、さらには，健康に危害を与えることが無いものである。
【０００７】
【発明の実施の形態】
【実施例】
図１は、本発明の冷却パックの構成を示す説明図である。
図１の（ａ）は側面図を（ｂ）は上面図を示す。
図１において、１０は冷却パックの密封容器である。密封容器１０は、ポリエチレン、塩化ビニール等の柔軟性を持った水密性のシートを使用して長方形の袋状に構成されている。
２０は、密封容器１０の内部に封入された冷却剤である。冷却剤２０には、乳酸ナトリウム、乳酸カリウム、乳酸アンモンニユム等の乳酸塩の水溶液が使用されている。
【０００８】
図２は、冷却パックを、消防衣に装着した場合の実施例を示す説明図である。図２の（ａ）は、消防衣の前面のに冷却パックを挿入できる冷却部を装着した図である。冷却部の位置は、消防衣を装着した時胸部を冷却できる位置にそれぞれ必要に応じた個数の冷却パックを装着する。
図２の（ｂ）は、消防衣の裏面に冷却パックを挿入できる冷却部を装着した図である。冷却部の位置は、消防衣を装着した時背部にあたる位置とし、冷却部位を自由に変えられるようやや広い範囲に装着ようにする。
【０００９】
図２の（ａ），（ｂ）に示した、冷却パックの装着方法は縫製あるいはホックでもよい。又、冷却パックをマジックテープを取りつけた袋等に入れ、消防衣の冷却部にマジックテープに装着することも出来る。マジックテープによる装着は、冷却パックを簡単に着脱することができ、また広い範囲に装着しておくことにより冷却部位を任意に変えることができる。
このようにして冷却パックを消防衣に装着することにより身体を冷却し、体温の上昇を抑制することが出来る。活動が長時間に及び、冷却パックの冷却効果が低下した場合は、冷却パックを交換することにより冷却効果を維持できる。
【００１０】
高温下の火災現場では、図２に示すような冷却パックを装着した消防衣を用いることにより、従来と比較して持続的に体温の上昇を抑えることができ、それに伴い心拍数、血圧とも上昇が抑制され、生理的負担を軽減することができる。
図２に示すような、冷却パックを装着した消防衣を高温下の火災現場で使用する場合には、消防衣の温度が部分的に異常に上昇することがあり、この時冷却パック２０の温度も高温になり、冷却パック内の冷却剤の膨張や高温度により冷却パックのシートの破損が生じることがある。
【００１１】
冷却パックのシートが破損すると、冷却パック内の冷却剤が漏れ出して消防衣に付着するが、冷却剤が可燃性の場合には火災現場の高温により発火し消防士を危険な状態にすることになる。このため、消防衣に装着する冷却パックの冷却剤は、その冷却特性が優れているだけでなく、不燃性であることが要求されている。
本発明のような目的に使用される冷却パックは、その柔軟性が保たれることが必要であるため、封入された冷却剤が凍結しない温度で冷却保存されるので、冷却パックの冷却剤の能力は、冷却保存されていた温度から人体の生理的な機能が損なわれる温度の４０℃程度に達するまでの温度差に比例している。
【００１２】
従来技術で一般に使用されているエチレングリコール、プロピレングリコール、エタノール等をベースとする冷却剤の特徴は，それらの凍結温度が低い点であり、エチレングリコール、プロピレングリコール、エタノールの凍結温度は、それぞれ−３５℃、−３４℃、−３８℃である。このためこれらの冷却剤は高性能の要求される冷却剤として使用されている。
しかしながら、エチレングリコール、プロピレングリコール、エタノール等は可燃性であり、高温にさらされた場合にも燃焼する危険があるだけでなく、毒性があり有害な廃棄物として，特別な手段で廃棄しなければならないという問題がある。
【００１３】
図３は、本発明の冷却パックの冷却剤２０の、乳酸ナトリウム、乳酸カリウム、乳酸アンモンニユムの乳酸塩の凍結特性図である。
乳酸ナトリウム、乳酸カリウム、乳酸アンモンニユム等の乳酸塩の凍結温度は、図３の凍結特性図に示すように、４０〜５０％水溶液で−３５℃以下でありエチレングリコール、プロピレングリコール、エタノール等と同等の凍結温度であり、優れた冷却能力を持っていることを示している。
【００１４】
冷却剤２０の乳酸塩の一つの、乳酸ナトリウムの安全性のデータを図４に示す。
図４ののデータが示すように、乳酸ナトリウムの特性は、
「危険有害性の分類」の項目では、
＊分類の名称は、分類の定義上に危険有害物に該当しない。
＊危険性は、不燃性であり危険性は特にない。
＊有害性は、乳酸ナトリウムは食品添加物としての用途もあり、有害性は特に問題はないが、多量に経口摂取すると、悪心、嘔吐等をおこすことがある。とあり、危険有害性に関しては全く問題が無く、特に不燃性であることが特徴である。
【００１５】
「危険性情報（安定性・反応性）」の項目では、
＊不燃性である。
＊安定性・反応性は、通常の使用においては安定である。
とあり、危険性情報（安定性・反応性）に関しては問題が無い。
「廃棄上の注意」の項目では、
＊多量の水で希釈し、ＰＨを調整した後、下水に流す。
とあり廃棄の場合にも環境に影響をあたえることが無い。
【００１６】
このように本発明の冷却パックの冷却剤の、乳酸ナトリウム、乳酸カリウム、乳酸アンモンニユム等の乳酸塩は、従来技術で既に知られている高性能の冷却剤に比べて非毒性であり、臭気がなくその安全性が高く、汚染性が低い点である。乳酸ナトリウム、乳酸カリウム、乳酸アンモンニユム等の乳酸塩は、有害な廃棄物として分類されず、容易く廃棄できるためその処理が低コストになる。廃棄液体は、特別な手段で取り扱いしなくてすみ、地面に吸わせたり、下水に流したりできる。
【００１７】
尚、図２の実施例では、冷却パックを消防衣に装着した例について説明したが、本発明の冷却パックは消防衣の装着に限定されるものではなく、人体に近接して配置され燃焼する危険があったり、非毒性、高い安全性や、低汚染性が要求される各種の用途に使用することが出来る。
【００１８】
【発明の効果】
以上の説明より明らかなように、本発明は、柔軟性を持った水密性のシートを使用した密封容器に、乳酸塩の４０〜５０％水溶液を封入した冷却パックを実現したもので、高温にさらされた場合にも燃焼することが無く、毒性が無く使用後の処理も環境に悪影響を与えることの無くその使用が環境的に安全で経済的であり、さらには，健康に危害を与えることが無いものである。
このため、本発明の冷却パックは高い冷却性能の要求される消防衣等に装着して安全に使用することが出来、又、燃焼する危険があったり、非毒性、高い安全性や、低汚染性が要求される各種の用途に使用することが出来る。
【図面の簡単な説明】
【図１】本発明の冷却パックの構成を示す説明図である。
【図２】冷却パックを、消防衣に装着した場合の実施例を示す説明図である。
【図３】本発明の冷却パックの冷却剤２０の、乳酸ナトリウム、乳酸カリウム、乳酸アンモンニユムの乳酸塩の凍結特性図である。
【図４】乳酸ナトリウムの安全性のデータを示す。
【符号の説明】
１０・・・冷却パックの密封容器，
２０・・・密封容器１０の内部に封入された冷却剤，
【図１】
2004012096.tif 000003
【図２】
2004012096.tif 000004
【図３】
2004012096.tif 000005
【図４】
2004012096.tif 000006